(57)【要約】      （修正有）【課題】離陸・着陸をはじめ飛行中の高度の上下、直線飛行や自由な旋回が楽しめ、景色がリアルタイムに再現され、操縦かん一本の操作により飛行機やヘリコプタの模擬飛行を楽しむことができる遊具を提供する。。【解決手段】飛行場や街並みをジオラマ１にして上下を入れ替えて固定する。その下を無線操縦により三台の上下可能なカメラ３〜５を備えた飛行体２を走行させる。カメラの上下も入れ替えることにより、カメラがジオラマに接近した時は着陸状態になり、ジオラマから離すことにより高度を上げることができる。連続した旋回にも問題が生じることがなく安全な遊具である。三台のカメラから無線で送られる信号を受け、三台のディスプレイ６〜８に映すことにより操縦席からの景色を確認しながら操縦かん９で操作が可能である。【選択図】図２
0003189247.tif 000002
【実用新案登録請求の範囲】
【請求項１】
飛行場や街並み、山や海など自然をまねたジオラマを上下逆にして固定し、該ジオラマの上を飛行するように見せるため、既ジオラマの下を車輪により動く飛行体とからなる駆動部とそれを無線で操作する操作部とから構成される模擬飛行遊具
【請求項２】
既飛行体に取り付けた上下逆のカメラから捉えた既ジオラマの映像を操作部に無線で送信し、操作部からの無線により該カメラを既ジオラマと飛行体の間で上下する上昇下降装置で構成される駆動部とをもつ１の模擬飛行遊具
【請求項３】
既飛行体から送信された既ジオラマの映像を操作部で受信し、ディスプレイに映し出すとともに、操縦かんにより既飛行体の前進・後退、左右旋回および既カメラの上昇下降装置を駆動する信号を既飛行体に無線で送信する操作部からなる１の模擬飛行遊具
【考案の詳細な説明】
【技術分野】
【０００１】  本考案は、飛行機、ヘリコプタ用模擬飛行遊具に関するものである。
【背景技術】
【０００２】  本考案に関係するものはない。
【考案の概要】
【考案が解決しようとする課題】
【０００３】  アミューズメントパークやアミューズメントスペースにおける模擬飛行遊具はない。子供に飛行機やヘリコプタの簡単な操縦を体験させ、離陸や着陸、直線飛行や自由な旋回等の感覚や変化する景色を見せることは飛行機やヘリコプタに関する興味・関心を持たせることに有効である。また、簡単な機構で安全で安価に再現できる模擬飛行遊具により、子供の創造的な学習意欲を高め、工学に関する興味を抱かせることが課題である。子供以外でも充分満足できる遊具となる。
【課題を解決するための手段】
【０００４】  空の上を自由に飛び回りたいという気持ちは子供だけでなく、航空関係の専門家以外でも抱くのが自然である。実際の飛行は非常に難しく、飛行体験も高価なものである。飛行場からの離陸に始まり、直線飛行や旋回飛行を自由に行い、危険もない装置を考案する。
すなわち、本考案は以下のとおりである。
１．飛行場や街並み、山や海など自然をまねたジオラマを上下逆にして固定し、該ジオラマの上を飛行するように見せるため、既ジオラマの下を車輪で動く飛行体とからなる駆動部とそれを無線で操作する操作部とから構成される模擬飛行遊具で
２．既飛行体に取り付けた上下逆のカメラから捉えた既ジオラマの映像を操作部に無線で送信し、操作部からの無線により既カメラを既ジオラマと飛行体の間で上下する上昇下降装置で構成される駆動部をもつ１．の模擬飛行遊具
３．既飛行体から送信された既ジオラマの映像を操作部で受信し、ディスプレイに映し出すとともに、操縦かんにより既飛行体の前進・後退、左右旋回および既カメラの上昇下降装置を駆動する信号を飛行体に無線で送信する操作部からなる１．の模擬飛行遊具
【考案の効果】
【０００５】  本考案は、アミューズメントパークやアミューズメントスペースにおける子供用の模擬飛行遊具としてのものであり、離陸や直線飛行や旋回、着陸までを映像で確認しながら無線操縦により体験できる装置である。ジオラマを置き、空中を飛行する模擬飛行遊具を製作するためには、ジオラマの上を直行する三次元の駆動機構が必要である。直進は簡単にできるが、旋回を考えた場合には直行する二軸で複雑な駆動が必要となり制御が煩雑となる。本考案は、ジオラマにより町の様子や滑走路などを形作り、それを上下逆にして外枠で固定し、その中を無線操縦で前進や回転する自動車と同様の飛行体を走らせる。飛行体にはカメラを上下逆にしたものを無線操作により上下する装置により、着陸状態ではジオラマの高さまで上昇させ、離陸時にはジオラマから離れる下方に駆動することによりディスプレイ装置の上ではジオラマ上の陸地から離れる様子が映し出される。操縦かんのスイッチを握れば上昇、弛めれば下降、右に倒せば右旋回、左に倒せば左旋回、前に倒せば前進、後ろに倒せば後退する。飛行機やヘリコプタを想定した簡易の操縦体験が可能となる。
【図面の簡単な説明】
【０００６】
【図１】ジオラマの概要を示す
【図２】模擬飛行遊具の全体を示す
【図３】飛行体の構造を示す
【図４】操縦かんの動きを示す
【考案を実施するための形態】
【０００７】  以下、本考案を実施形態に従って説明する。
図１のように飛行場や街の景観を模型化したジオラマ１を作製する。図２のようにそのジオラマ１の上下を逆にして固定し、その下を無線操縦で動く飛行体２を走らせる。
【０００８】  飛行体の上部には上下を逆にしたカメラ３、カメラ４、カメラ５を備え、その映像は無線によりディスプレイ６、ディスプレイ７、ディスプレイ８に送られる。操縦者はそのディスプレイ６〜８を見ながら操縦かん９を操作する。
【０００９】  図３に飛行体の構造を示す。操作部からの無線によりギャー付タイヤ１０が駆動する。ヘリコプタの操縦としてその場での旋回を再現するために飛行体の中央にギャー付タイヤ１０設け、飛行体前後のボールキャスター１１により飛行体を安定させている。
【００１０】  飛行体の中央に上昇下降装置１２があり、上下を逆にしたカメラ３、カメラ４、カメラ５を上下させる構造とする。
【００１１】  図４に操縦かんの動きを示す。操縦かんを前後１３に動かすことにより前方・後方に飛行するようギャー付タイヤ１０が動く。操縦かんを左右１４に動かすことにより左右の旋回をするよう片方のギャー付タイヤ１０が動く。操縦かんのレバー１５を握ることにより高度があがるよう上昇下降装置１２によりカメラ３〜５がジオラマ１から離れ、緩めることにより高度が下がるようジオラマ１に近づく。操縦かんを前に倒しながらレバー１５を少しずつ握れば飛行機が滑走路を走りながら徐々に離陸していく様子が再現されることとなる。ヘリコプタではレバー１５だけを握ればその場で上昇しホバリングしている状況が再現される。
【００１２】  本考案は、子供から大人までが楽しむことができるヘリコプタや飛行機の模擬飛行遊具に関する考案である。操縦かんの使い方で、飛行機のような動きやヘリコプタのような動きを再現することが可能で安価にできることから広く活用が可能である。
【符号の説明】
【００１４】１  ジオラマ、２  飛行体、３  カメラ（正面）、４  カメラ（右側面）、５  カメラ（左側面）、６  ディスプレイ（正面）、７  ディスプレイ（右側面）、８  ディスプレイ（左側面）、９  操縦かん（静止）、１０  ギャー付タイヤ、１１  ボールキャスタ、１２  上昇下降装置、１３  操縦かん前後の動き、１４  操縦かん左右の動き、１５  操縦かんレバー
【図１】
0003189247.tif 000003
【図２】
0003189247.tif 000004
【図３】
0003189247.tif 000005
【図４】
0003189247.tif 000006
【手続補正書】
【提出日】平成25年10月3日(2013.10.3)
【手続補正１】
【補正対象書類名】実用新案登録請求の範囲
【補正対象項目名】全文
【補正方法】変更
【補正の内容】
【実用新案登録請求の範囲】
【請求項１】
飛行場や街並み、山や海など自然をまねたジオラマを上下逆にして固定し、該ジオラマの上を飛行するように見せるため、既ジオラマの下を車輪により動く飛行体とからなる駆動部とそれを無線で操作する操作部とから構成される模擬飛行遊具。
【請求項２】
前記飛行体に取り付けた上下逆のカメラから捉えた既ジオラマの映像を操作部に無線で送信し、操作部からの無線により該カメラを既ジオラマと前記飛行体の間で上下する上昇下降装置で構成される駆動部とをもつ請求項１記載の模擬飛行遊具。
【請求項３】
既飛行体から送信された既ジオラマの映像を操作部で受信し、ディスプレイに映し出すとともに、操縦かんにより既飛行体の前進・後退、左右旋回および既カメラの上昇下降装置を駆動する信号を前記飛行体に無線で送信する操作部からなる請求項１記載の模擬飛行遊具。
【手続補正２】
【補正対象書類名】明細書
【補正対象項目名】全文
【補正方法】変更
【補正の内容】
【考案の詳細な説明】
【技術分野】
【０００１】  本考案は、飛行機、ヘリコプタ用模擬飛行遊具に関するものである。
【背景技術】
【０００２】  本考案に関係するものはない。
【考案の概要】
【考案が解決しようとする課題】
【０００３】  アミューズメントパークやアミューズメントスペースにおける模擬飛行遊具はない。子供に飛行機やヘリコプタの簡単な操縦を体験させ、離陸や着陸、直線飛行や自由な旋回等の感覚や変化する景色を見せることは飛行機やヘリコプタに関する興味・関心を持たせることに有効である。また、簡単な機構で安全で安価に再現できる模擬飛行遊具により、子供の創造的な学習意欲を高め、工学に関する興味を抱かせることが課題である。子供以外でも充分満足できる遊具となる。
【課題を解決するための手段】
【０００４】  空の上を自由に飛び回りたいという気持ちは子供だけでなく、航空関係の専門家以外でも抱くのが自然である。実際の飛行は非常に難しく、飛行体験も高価なものである。飛行場からの離陸に始まり、直線飛行や旋回飛行を自由に行い、危険もない装置を考案する。
すなわち、本考案は以下のとおりである。
１．飛行場や街並み、山や海など自然をまねたジオラマを上下逆にして固定し、該ジオラマの上を飛行するように見せるため、既ジオラマの下を車輪で動く飛行体とからなる駆動部とそれを無線で操作する操作部とから構成される模擬飛行遊具で
２．前記飛行体に取り付けた上下逆のカメラから捉えた既ジオラマの映像を操作部に無線で送信し、操作部からの無線により既カメラを既ジオラマと前記飛行体の間で上下する上昇下降装置で構成される駆動部をもつ１．記載の模擬飛行遊具。
３．前記飛行体から送信された既ジオラマの映像を操作部で受信し、ディスプレイに映し出すとともに、操縦かんにより前記飛行体の前進・後退、左右旋回および既カメラの上昇下降装置を駆動する信号を前記飛行体に無線で送信する操作部からなる１．記載の模擬飛行遊具。
【考案の効果】
【０００５】  本考案は、アミューズメントパークやアミューズメントスペースにおける子供用の模擬飛行遊具としてのものであり、離陸や直線飛行や旋回、着陸までを映像で確認しながら無線操縦により体験できる装置である。ジオラマを置き、空中を飛行する模擬飛行遊具を製作するためには、ジオラマの上を直行する三次元の駆動機構が必要である。直進は簡単にできるが、旋回を考えた場合には直行する二軸で複雑な駆動が必要となり制御が煩雑となる。本考案は、ジオラマにより町の様子や滑走路などを形作り、それを上下逆にして外枠で固定し、その中を無線操縦で前進や回転する自動車と同様の飛行体を走らせる。飛行体にはカメラを上下逆にしたものを無線操作により上下する装置により、着陸状態ではジオラマの高さまで上昇させ、離陸時にはジオラマから離れる下方に駆動することによりディスプレイ装置の上ではジオラマ上の陸地から離れる様子が映し出される。操縦かんのスイッチを握れば上昇、弛めれば下降、右に倒せば右旋回、左に倒せば左旋回、前に倒せば前進、後ろに倒せば後退する。飛行機やヘリコプタを想定した簡易の操縦体験が可能となる。
【図面の簡単な説明】
【０００６】
【図１】ジオラマの概要を示す
【図２】模擬飛行遊具の全体を示す
【図３】飛行体の構造を示す
【図４】操縦かんの動きを示す
【考案を実施するための形態】
【０００７】  以下、本考案を実施形態に従って説明する。
図１のように飛行場や街の景観を模型化したジオラマ１を作製する。図２のようにそのジオラマ１の上下を逆にして固定し、その下を無線操縦で動く飛行体２を走らせる。
【０００８】  飛行体の上部には上下を逆にしたカメラ３、カメラ４、カメラ５を備え、その映像は無線によりディスプレイ６、ディスプレイ７、ディスプレイ８に送られる。操縦者はそのディスプレイ６〜８を見ながら操縦かん９を操作する。
【０００９】  図３に飛行体の構造を示す。操作部からの無線によりギャー付タイヤ１０が駆動する。ヘリコプタの操縦としてその場での旋回を再現するために飛行体の中央にギャー付タイヤ１０設け、飛行体前後のボールキャスター１１により飛行体を安定させている。
【００１０】  飛行体の中央に上昇下降装置１２があり、上下を逆にしたカメラ３、カメラ４、カメラ５を上下させる構造とする。
【００１１】  図４に操縦かんの動きを示す。操縦かんを前後１３に動かすことにより前方・後方に飛行するようギャー付タイヤ１０が動く。操縦かんを左右１４に動かすことにより左右の旋回をするよう片方のギャー付タイヤ１０が動く。操縦かんのレバー１５を握ることにより高度があがるよう上昇下降装置１２によりカメラ３〜５がジオラマ１から離れ、緩めることにより高度が下がるようジオラマ１に近づく。操縦かんを前に倒しながらレバー１５を少しずつ握れば飛行機が滑走路を走りながら徐々に離陸していく様子が再現されることとなる。ヘリコプタではレバー１５だけを握ればその場で上昇しホバリングしている状況が再現される。
【００１２】  本考案は、子供から大人までが楽しむことができるヘリコプタや飛行機の模擬飛行遊具に関する考案である。操縦かんの使い方で、飛行機のような動きやヘリコプタのような動きを再現することが可能で安価にできることから広く活用が可能である。
【符号の説明】
【００１４】１  ジオラマ、２  飛行体、３  カメラ（正面）、４  カメラ（右側面）、５  カメラ（左側面）、６  ディスプレイ（正面）、７  ディスプレイ（右側面）、８  ディスプレイ（左側面）、９  操縦かん（静止）、１０  ギャー付タイヤ、１１  ボールキャスタ、１２  上昇下降装置、１３  操縦かん前後の動き、１４  操縦かん左右の動き、１５  操縦かんレバー
【手続補正書】
【提出日】平成25年12月5日(2013.12.5)
【手続補正１】
【補正対象書類名】実用新案登録請求の範囲
【補正対象項目名】全文
【補正方法】変更
【補正の内容】
【実用新案登録請求の範囲】
【請求項１】
飛行場や街並み、山や海など自然をまねたジオラマを上下逆にして固定し、前記ジオラマの上を飛行するように見せるため、前記ジオラマの下を車輪により動く飛行体とからなる駆動部とそれを無線で操作する操作部とから構成される模擬飛行遊具。
【請求項２】
前記飛行体に取り付けた上下逆のカメラから捉えた前記ジオラマの映像を操作部に無線で送信し、操作部からの無線により前記カメラを前記ジオラマと前記飛行体の間で上下する上昇下降装置で構成される駆動部とをもつ請求項１記載の模擬飛行遊具。
【請求項３】
前記飛行体から送信された前記ジオラマの映像を操作部で受信し、ディスプレイに映し出すとともに、操縦かんにより前記飛行体の前進・後退、左右旋回および前記カメラの上昇下降装置を駆動する信号を前記飛行体に無線で送信する操作部からなる請求項２記載の模擬飛行遊具。
【手続補正２】
【補正対象書類名】明細書
【補正対象項目名】全文
【補正方法】変更
【補正の内容】
【考案の詳細な説明】
【技術分野】
【０００１】  本考案は、飛行機、ヘリコプタ用模擬飛行遊具に関するものである。
【背景技術】
【０００２】  本考案に関係するものはない。
【考案の概要】
【考案が解決しようとする課題】
【０００３】  アミューズメントパークやアミューズメントスペースにおける模擬飛行遊具はない。子供に飛行機やヘリコプタの簡単な操縦を体験させ、離陸や着陸、直線飛行や自由な旋回等の感覚や変化する景色を見せることは飛行機やヘリコプタに関する興味・関心を持たせることに有効である。また、簡単な機構で安全で安価に再現できる模擬飛行遊具により、子供の創造的な学習意欲を高め、工学に関する興味を抱かせることが課題である。子供以外でも充分満足できる遊具となる。
【課題を解決するための手段】
【０００４】  空の上を自由に飛び回りたいという気持ちは子供だけでなく、航空関係の専門家以外でも抱くのが自然である。実際の飛行は非常に難しく、飛行体験も高価なものである。飛行場からの離陸に始まり、直線飛行や旋回飛行を自由に行い、危険もない装置を考案する。
すなわち、本考案は以下のとおりである。
１．飛行場や街並み、山や海など自然をまねたジオラマを上下逆にして固定し、前記ジオラマの上を飛行するように見せるため、前記ジオラマの下を車輪により動く飛行体とからなる駆動部とそれを無線で操作する操作部とから構成される模擬飛行遊具。
２．前記飛行体に取り付けた上下逆のカメラから捉えた前記ジオラマの映像を操作部に無線で送信し、操作部からの無線により前記カメラを前記ジオラマと前記飛行体の間で上下する上昇下降装置で構成される駆動部をもつ１．記載の模擬飛行遊具。
３．前記飛行体から送信された前記ジオラマの映像を操作部で受信し、ディスプレイに映し出すとともに、操縦かんにより前記飛行体の前進・後退、左右旋回および前記カメラの上昇下降装置を駆動する信号を前記飛行体に無線で送信する操作部からなる２．記載の模擬飛行遊具。
【考案の効果】
【０００５】  本考案は、アミューズメントパークやアミューズメントスペースにおける子供用の模擬飛行遊具としてのものであり、離陸や直線飛行や旋回、着陸までを映像で確認しながら無線操縦により体験できる装置である。ジオラマを置き、空中を飛行する模擬飛行遊具を製作するためには、ジオラマの上を直行する三次元の駆動機構が必要である。直進は簡単にできるが、旋回を考えた場合には直行する二軸で複雑な駆動が必要となり制御が煩雑となる。本考案は、ジオラマにより町の様子や滑走路などを形作り、それを上下逆にして外枠で固定し、その中を無線操縦で前進や回転する自動車と同様の飛行体を走らせる。飛行体にはカメラを上下逆にしたものを無線操作により上下する装置により、着陸状態ではジオラマの高さまで上昇させ、離陸時にはジオラマから離れる下方に駆動することによりディスプレイ装置の上ではジオラマ上の陸地から離れる様子が映し出される。操縦かんのスイッチを握れば上昇、弛めれば下降、右に倒せば右旋回、左に倒せば左旋回、前に倒せば前進、後ろに倒せば後退する。飛行機やヘリコプタを想定した簡易の操縦体験が可能となる。
【図面の簡単な説明】
【０００６】
【図１】ジオラマの概要を示す
【図２】模擬飛行遊具の全体を示す
【図３】飛行体の構造を示す
【図４】操縦かんの動きを示す
【考案を実施するための形態】
【０００７】  以下、本考案を実施形態に従って説明する。
図１のように飛行場や街の景観を模型化したジオラマ１を作製する。図２のようにそのジオラマ１の上下を逆にして固定し、その下を無線操縦で動く飛行体２を走らせる。
【０００８】  飛行体の上部には上下を逆にしたカメラ３、カメラ４、カメラ５を備え、その映像は無線によりディスプレイ６、ディスプレイ７、ディスプレイ８に送られる。操縦者はそのディスプレイ６〜８を見ながら操縦かん９を操作する。
【０００９】  図３に飛行体の構造を示す。操作部からの無線によりギャー付タイヤ１０が駆動する。ヘリコプタの操縦としてその場での旋回を再現するために飛行体の中央にギャー付タイヤ１０設け、飛行体前後のボールキャスター１１により飛行体を安定させている。
【００１０】  飛行体の中央に上昇下降装置１２があり、上下を逆にしたカメラ３、カメラ４、カメラ５を上下させる構造とする。
【００１１】  図４に操縦かんの動きを示す。操縦かんを前後１３に動かすことにより前方・後方に飛行するようギャー付タイヤ１０が動く。操縦かんを左右１４に動かすことにより左右の旋回をするよう片方のギャー付タイヤ１０が動く。操縦かんのレバー１５を握ることにより高度があがるよう上昇下降装置１２によりカメラ３〜５がジオラマ１から離れ、緩めることにより高度が下がるようジオラマ１に近づく。操縦かんを前に倒しながらレバー１５を少しずつ握れば飛行機が滑走路を走りながら徐々に離陸していく様子が再現されることとなる。ヘリコプタではレバー１５だけを握ればその場で上昇しホバリングしている状況が再現される。
【００１２】  本考案は、子供から大人までが楽しむことができるヘリコプタや飛行機の模擬飛行遊具に関する考案である。操縦かんの使い方で、飛行機のような動きやヘリコプタのような動きを再現することが可能で安価にできることから広く活用が可能である。
【符号の説明】
【００１４】１  ジオラマ、２  飛行体、３  カメラ（正面）、４  カメラ（右側面）、５  カメラ（左側面）、６  ディスプレイ（正面）、７  ディスプレイ（右側面）、８  ディスプレイ（左側面）、９  操縦かん（静止）、１０  ギャー付タイヤ、１１  ボールキャスタ、１２  上昇下降装置、１３  操縦かん前後の動き、１４  操縦かん左右の動き、１５  操縦かんレバー